(57)【要約】【課題】電動式直動アクチュエータのギヤ減速機構での歯打ち音の低減化を図ることである。【解決手段】電動モータ２４のロータ軸２５の回転をギヤ減速機構３０により減速して出力し、その出力により回転・直動変換機構５０を作動させて外輪部材２１を直線駆動する。ギヤ減速機構３０を形成する中間ギヤ３３を大径ギヤ３４が小径ギヤ３５に設けられたボス部３６に嵌合されて軸方向に対向配置された複列ギヤとし、そのボス部３６と大径ギヤ３４の嵌合面における一方に凹部３９を設け、他方にその凹部３９内に配置される突出部４０を設け、その凹部３９と突出部４０の対向部間に設けられる回転方向隙間４３に弾性部材４１を組み込んで、この弾性部材４１の弾性変形によって歯打ち音の低減を図る。【選択図】図５
2016008701.tif 000002
【特許請求の範囲】
【請求項１】
電動モータ（２４）と、その電動モータ（２４）のロータ軸（２５）の回転を複数段の減速ギヤ列（Ｇ１、Ｇ２）により順次減速して出力ギヤ（３２）から出力するギヤ減速機構（３０）と、そのギヤ減速機構（３０）の出力ギヤの回転を軸方向に移動可能とされたスライド部材（２１）の軸方向への直線運動に変換する回転・直動変換機構（５０）とを有してなり、前記ギヤ減速機構（３０）が、大径ギヤ（３４）と小径ギヤ（３５）を軸方向に対向配置した複列ギヤを中間ギヤ（３３）として備えて成る電動式直動アクチュエータにおいて、
前記中間ギヤ（３３）における大径ギヤ（３４）と小径ギヤ（３５）の一方に設けられたボス部（３６）に他方の前記大径ギヤ（３４）または小径ギヤ（３５）が嵌合されて軸方向に対向配置され、前記ボス部（３６）と他方の大径ギヤ（３４）または小径ギヤ（３５）の嵌合面における一方に扇形の凹部（３９）を設け、他方にその凹部（３９）内に回転方向隙間（４３）をもって配置される突出部（４０）を設け、前記回転方向隙間（４３）に弾性部材（４１）を組み込んだことを特徴とする電動式直動アクチュエータ。
【請求項２】
前記突出部（４０）の周方向両端側に回転方向隙間（４３）を設け、それぞれの回転方向隙間（４３）に弾性部材（４１）を組み込んで前記突出部（４０）を回転方向の中立位置に保持した請求項１に記載の電動式直動アクチュエータ。
【請求項３】
前記突出部（４０）の周方向一側に回転方向隙間（４３）を設け、その回転方向隙間（４３）に弾性部材（４１）を組み込んで、大径ギヤ（３４）と小径ギヤ（３５）のそれぞれを各ギヤに噛合する相手方ギヤに向けて付勢して歯の噛合部におけるバックラッシを除去した請求項１に記載の電動式直動アクチュエータ。
【請求項４】
前記弾性部材（４１）が、圧縮スプリング、引張りスプリング、ゴムの一種からなる請求項１乃至３のいずれか１項に記載の電動式直動アクチュエータ。
【請求項５】
電動式直動アクチュエータによりブレーキパッド（１３、１４）を直線駆動し、そのブレーキパッド（１３、１４）でディスクロータ（１０）を押圧して、そのディスクロータ（１０）に制動力を付与するようにした電動式ブレーキ装置において、
前記電動式直動アクチュエータが請求項１乃至４のいずれか１項に記載の電動式直動アクチュエータからなり、その電動式直動アクチュエータにおけるスライド部材（２１）でブレーキパッド（１３、１４）を直線駆動することを特徴とする電動式ブレーキ装置。
【発明の詳細な説明】
【技術分野】
【０００１】
この発明は、ブレーキパッド等の被駆動部材を直線駆動する電動式直動アクチュエータおよびその電動式直動アクチュエータを用いた電動式ブレーキ装置に関する。
【背景技術】
【０００２】
電動モータを駆動源とする電動式直動アクチュエータとして、特許文献１に記載されたものが従来から知られている。その特許文献１に記載された電動式直動アクチュエータにおいては、電動モータのロータ軸の回転をギヤ減速機構により減速し、そのギヤ減速機構の出力ギヤから出力される回転を回転・直動変換機構によりハウジングの内径面に沿ってスライド可能な外輪部材の直線運動に変換して、外輪部材を軸方向に移動させるようにしている。
【０００３】
ここで、上記電動式直動アクチュエータを用いる電動式ブレーキ装置においては、電動式直動アクチュエータの外輪部材でブレーキパッドをディスクロータに向けて押圧移動させ、そのディスクロータに対するブレーキパッドの押し付けによりディスクロータに制動力を付与している。
【先行技術文献】
【特許文献】
【０００４】
【特許文献１】特開２００９−１９７８６３号公報
【発明の概要】
【発明が解決しようとする課題】
【０００５】
ところで、上記特許文献１に記載された電動式直動アクチュエータにおいては、ギヤの噛み合い部にバックラッシが存在するため、ギヤの回転による動力の伝達時、駆動トルクや負荷トルクが変動すると、歯打ち音が生じる。そのため、その歯打ち音の低減化を図る上において改善すべき点が残されている。
【０００６】
この発明の課題は、上記電動式直動アクチュエータのギヤ減速機構での歯打ち音の低減を図ることである。
【課題を解決するための手段】
【０００７】
上記の課題を解決するため、この発明に係る電動式直動アクチュエータにおいては、電動モータと、その電動モータのロータ軸の回転を複数段の減速ギヤ列により順次減速して出力ギヤから出力するギヤ減速機構と、そのギヤ減速機構の出力ギヤの回転を軸方向に移動可能とされたスライド部材の軸方向への直線運動に変換する回転・直動変換機構とを有してなり、前記ギヤ減速機構が、大径ギヤと小径ギヤを軸方向に対向配置した複列ギヤを中間ギヤとして備えて成る電動式直動アクチュエータにおいて、前記中間ギヤにおける大径ギヤと小径ギヤの一方に設けられたボス部に他方の前記大径ギヤまたは前記小径ギヤが嵌合されて軸方向に対向配置され、前記ボス部と他方の大径ギヤまたは小径ギヤの嵌合面における一方に扇形の凹部を設け、他方にその凹部内に回転方向隙間をもって配置される突出部を設け、前記回転方向隙間に前記弾性部材を組み込んだ構成を採用したのである。
【０００８】
ここで、回転方向隙間は、突出部の周方向両端側に設けるようにしてもよく、あるいは、周方向の一端側にのみ設けるようにしてもよい。突出部の周方向両端側に回転方向隙間を設ける場合は、それぞれの回転方向隙間に弾性部材を組み込んで、突出部を回転方向隙間の中立位置に保持する。
【０００９】
一方、突出部の周方向の一端側にのみ回転方向隙間を設ける場合は、その回転方向隙間に弾性部材を組み込んで、大径ギヤと小径ギヤのそれぞれを各ギヤに噛合する相手方ギヤとの噛み合い方向に向けて付勢して歯の噛合部におけるバックラッシを除去する。
【００１０】
弾性部材は、圧縮スプリング、引張りスプリング、ゴムのいずれでもよい。
【００１１】
この発明に係る電動式ブレーキ装置においては、電動式直動アクチュエータによりブレーキパッドを直線駆動し、そのブレーキパッドでディスクロータを押圧して、そのディスクロータに制動力を付与するようにした電動式ブレーキ装置において、前記電動式直動アクチュエータがこの発明に係る上述の電動式直動アクチュエータからなり、その電動式直動アクチュエータのスライド部材で前記ブレーキパッドを直線駆動させる構成を採用したのである。
【００１２】
上記の構成からなる電動式ブレーキ装置において、電動式直動アクチュエータの電動モータを駆動すると、その電動モータのロータ軸の回転はギヤ減速機構で減速されて出力ギヤから出力され、その出力ギヤの回転は回転・直動変換機構によりスライド部材の直線運動に変換される。このため、スライド部材が前進し、そのスライド部材に連結されたブレーキパッドがディスクロータに押し付けられ、ディスクロータが制動される。
【００１３】
この発明に係る電動式直動アクチュエータにおいて、電動モータを停止すると、ギヤ減速機構におけるギヤの噛合部にバックラッシが形成されるため、振動が付与されると、バックラッシ分の相対回転移動が生じて、歯面が互いに衝突し、歯打ち音が発生する可能性がある。
【００１４】
このとき、中間ギヤにおいては、凹部と、その凹部内に組み込まれた突出部の周方向の対向部間に回転方向隙間が形成され、その回転方向隙間に弾性部材が組み込まれているため、噛み合う相手方ギヤとの間でバックラッシ分の相対回転移動が生じた場合、弾性部材が弾性変形する。その弾性変形により衝突力が吸収されて、歯面の衝突によって発生する歯打ち音が低減される。
【００１５】
一方、ギヤ減速機構のギヤの回転による動力伝達時、電動モータの回転数の変化によって駆動トルクに変動が生じると、ギヤの噛み合い部でバックラッシの位置が変化するため、歯面が衝突、離反を繰り返す。この場合においても、弾性部材が弾性変形して、衝突時における衝撃を吸収し、歯打ち音を低減する。
【発明の効果】
【００１６】
この発明に係る電動式直動アクチュエータにおいては、上記のように、中間ギヤにおける小径ギヤのボス部と大径ギヤの嵌合面における一方に扇形の凹部を設け、他方にその凹部内に回転方向隙間をもって配置される突出部を設け、その突出部と凹部の周方向の対向部間に設けられた回転方向隙間に弾性部材を介在させたことにより、大径ギヤと小径ギヤが噛み合う相手方ギヤの噛合部において、バックラッシに起因して相対回転移動が生じると、弾性部材が弾性変形して、歯面の衝突による衝撃を吸収するため、歯打ち音の低減を図ることができる。
【図面の簡単な説明】
【００１７】
【図１】この発明に係る電動式直動アクチュエータの実施の形態を示す縦断面図
【図２】図１のII−II線に沿った断面図
【図３】図１のIII−IIIに沿った断面図
【図４】図１に示すギヤ減速機構部を拡大して示す断面図
【図５】図４のV−V線に沿った断面図
【図６】図５のVI−VI線に沿った断面図
【図７】制動負荷時における中間ギヤのトルク伝達状態を示し、（ａ）は縦断面図、（ｂ）は横断面図
【図８】制動解除時における中間ギヤのトルク伝達状態を示し、（ａ）は縦断面図、（ｂ）は横断面図
【図９】（ａ）、（ｂ）は弾性部材の他の例を示す縦断面図
【図１０】中間ギヤにおけるトルク伝達部に単一の弾性部材を組み込んだ状態の縦断面図
【図１１】（ａ）乃至（ｃ）は図１０に示すトルク伝達部の作用説明図
【図１２】この発明に係る電動式ブレーキ装置の実施の形態を示す縦断面図
【発明を実施するための形態】
【００１８】
以下、この発明の実施の形態を図面に基づいて説明する。図１および図２は、図１２に示す電動式ブレーキ装置に採用された電動式直動アクチュエータＡを示す。
【００１９】
図１２に示す電動式ブレーキ装置においては、図示省略した車輪と一体に回転するディスクロータ１０の外周囲にキャリパ１１を設け、そのキャリパ１１の一端部にディスクロータ１０のアウタ側面の外周部と軸方向で対向する爪部１２を設け、その爪部１２でアウタ側ブレーキパッド１３を支持している。
【００２０】
また、ディスクロータ１０のインナ側面の外周部にインナ側ブレーキパッド１４を対向配置し、そのインナ側ブレーキパッド１４をキャリパ１１の他側部に設けられた電動式直動アクチュエータＡによりディスクロータ１０に向けて移動させるようにしている。
【００２１】
ディスクロータ１０のインナ側面の外周部にはマウント１７が設けられている。マウント１７は図示省略したナックルに支持されて固定の配置とされている。図２に示すように、マウント１７の両側部には対向一対のピン支持片１８が設けられ、そのピン支持片１８のそれぞれ端部にディスクロータ１０に対して直交方向に延びるスライドピン１９が設けられ、そのスライドピン１９のそれぞれによってキャリパ１１がスライド自在に支持されている。
【００２２】
また、マウント１７は、図では詳細に示されていないが、アウタ側ブレーキパッド１３およびインナ側ブレーキパッド１４のそれぞれを回転不能（回り止め）とする状態でディスクロータ１０に向けて移動可能に支持している。
【００２３】
図１に示すように、電動式直動アクチュエータＡはハウジング２０を有する。ハウジング２０は、図１２に示すキャリパ１１に一体的に設けられて筒状をなし、その内側にはスライド部材としての外輪部材２１がスライド自在に組み込まれている。
【００２４】
ハウジング２０の一端には径方向外方に向けてベースプレート２２が設けられ、そのベースプレート２２の外側面およびハウジング２０の一端開口がカバー２３によって覆われており、上記ベースプレート２２とカバー２３とでギヤケースを形成している。
【００２５】
ベースプレート２２には電動モータ２４が支持され、その電動モータ２４のロータ軸２５の回転は、ベースプレート２２とカバー２３とで形成されるギヤケース内のギヤ減速機構３０により減速されて出力される。
【００２６】
図１および図２に示すように、ギヤ減速機構３０は、電動モータ２４のロータ軸２５に取付けられた入力ギヤ３１の回転を一次減速ギヤ列Ｇ１および二次減速ギヤ列Ｇ２により順次減速して出力ギヤ３２から出力する構成とされている。
【００２７】
入力ギヤ３１と出力ギヤ３２との間に設けられた中間ギヤ３３は、大径ギヤ３４と小径ギヤ３５を軸方向に対向配置した複列ギヤからなり、上記大径ギヤ３４が入力ギヤ３１に噛合して一次減速ギヤ列Ｇ１を形成し、小径ギヤ３５が出力ギヤ３２と噛合して二次減速ギヤ列Ｇ２を形成している。
【００２８】
図４に示すように、小径ギヤ３５はボス部３６を有し、そのボス部３６に大径ギヤ３４が嵌合されて軸方向に対向配置され、上記ボス部３６の端部に取り付けた止め輪３７によって大径ギヤ３４が抜止めされている。また、止め輪３７と大径ギヤ３４間にワッシャ３８が組み込まれている。
【００２９】
中間ギヤ３３は、ベースプレート２２とカバー２３とで両端部が支持されたギヤ軸４４上に設けられ、そのギヤ軸４４との間に組み込まれた複数の転がり軸受４５を介して回転自在に支持されている。
【００３０】
図５に示すように、大径ギヤ３４の内径面には扇形の凹部３９が形成されている。一方、ボス部３６の外径面には上記凹部３９内に配置される突出部４０が設けられ、その突出部４０の周方向両端側に設けられた空隙部のそれぞれに弾性部材４１が組み込まれている。弾性部材４１として、ここでは、圧縮スプリングが採用され、その弾性部材４１によって突出部４０は凹部３９の中立位置に保持されている。
【００３１】
また、図６に示すように、突出部４０の周方向両端には一対のストッパ４２が設けられ、そのストッパ４２と凹部３９の周方向の両端面間に回転方向隙間４３が設けられている。図５に示すδは回転方向隙間４３の大きさを示し、その大きさδは、入力ギヤ３１と大径ギヤ３４の噛合部あるいは小径ギヤ３５と出力ギヤ３２の噛合部に形成されるバックラッシに相当する大きさとされている。図６に示すように、凹部３９内のストッパ４２は、突出部４０の小径ギヤ３５側に形成され、大径ギヤ３４側の凹部３９内に弾性部材４１が組み込まれている。
【００３２】
ギヤ減速機構３０の出力ギヤ３２の回転は、図１に示す回転・直動変換機構５０によって外輪部材２１の直線運動に変換される。
【００３３】
回転・直動変換機構５０は、出力ギヤ３２を軸端部で支持して、その出力ギヤ３２と一体に回転する回転軸５１を外輪部材２１の軸心上に配置し、その回転軸５１と外輪部材２１との間に遊星ローラ５２を組み込み、その遊星ローラ５２の外周に外輪部材２１の内周に設けられた断面Ｖ字形の螺旋突条５３に噛合する螺旋溝５４を形成し、上記回転軸５１の回転により遊星ローラ５２を自転させつつ公転させて外輪部材２１を軸方向に直線運動させるようにしている。
【００３４】
ここで、遊星ローラ５２の外周に形成された螺旋溝５４は外輪部材２１の内周に設けられた螺旋突条５３とリード角が相違してピッチが同一とされ、そのリード角の相違によって外輪部材２１を軸方向に移動させるようにしているが、上記螺旋溝５４に代えて、複数の円周溝を螺旋突条５３と同一のピッチで形成してもよい。
【００３５】
回転軸５１は、ハウジング２０の一端部内に組み込まれた軸受部材５５の中心部に形成された軸挿入孔５６内に挿通され、その軸挿入孔５６内に組み込まれた複数の転がり軸受５７によって回転自在に支持されている。一方、軸受部材５５は、ハウジング２０の一端部内周に設けられた内向きフランジ５８によってハウジング２０の一端開口側に向けて移動するのが防止されている。
【００３６】
また、遊星ローラ５２は、図１および図３に示すように、回転軸５１と外輪部材２１の間に組み込まれたキャリヤ６０によって回転自在に支持されている。キャリヤ６０は、回転軸５１を中心にして回転可能に支持された対向一対のディスク６１ａ、６１ｂを軸方向の両端に有し、その一対のディスク６１ａ、６１ｂに軸方向で対向する一対の軸挿入孔６２が周方向に間隔をおいて複数形成され、その複数の軸挿入孔６２のそれぞれにローラ軸６３の両端部が挿入され、そのローラ軸６３のそれぞれで遊星ローラ５２が回転自在に支持されている。
【００３７】
軸挿入孔６２は、径方向に長い長孔とされ、その軸挿入孔６２によって複数のローラ軸６３のそれぞれが径方向に移動自在に支持されており、一対のディスク６１ａ、６１ｂを貫通して外部に臨むローラ軸６３の軸両端部に弾性リング６４が掛け渡されている。弾性リング６４は拡径された状態でローラ軸６３の軸両端部に掛け渡されて縮径方向の弾性力が付与され、その弾性力によって遊星ローラ５２が回転軸５１の外径面に圧接されている。
【００３８】
キャリヤ６０における一対のディスク６１ａ、６１ｂのうち、軸受部材５５側に位置するインナ側ディスク６１ｂと遊星ローラ５２の軸方向の対向部間には、遊星ローラ５２側から順に、スラスト軸受６５、加圧板６６および受圧板６７が組み込まれ、加圧板６６と受圧板６７は球面座６８を介して接触している。また、受圧板６７とローラ軸６３の嵌合面間には隙間が設けられ、その隙間の範囲内においてローラ軸６３と加圧板６６は調心自在とされている。
【００３９】
また、インナ側ディスク６１ｂと回転軸５１を回転自在に支持する前述の軸受部材５５間にはバックアッププレート６９とスラスト軸受７０とが組み込まれ、外輪部材２１から遊星ローラ５２を介してキャリヤ６０に負荷される軸方向の反力を上記スラスト軸受７０で支持するようになっている。
【００４０】
図１に示すように、外輪部材２１のアウタ側端部内には押圧部材７１が嵌合されている。押圧部材７１の先端面には回り止め溝７２が形成され、その回り止め溝７２と図１２に示すインナ側ブレーキパッド１４のパッドホルダ１５に設けられた回り止め突起１６の係合によって外輪部材２１はインナ側ブレーキパッド１４に対して回り止めされている。
【００４１】
ハウジング２０と外輪部材２１のアウタ側端部間にはブーツ７３が取り付けられ、そのブーツ７３によってハウジング２０のアウタ側の開口端と外輪部材２１の先端部間が密閉されている。
【００４２】
実施の形態で示す電動式ブレーキ装置は上記の構成からなり、図１２は、ディスクロータ１０に対する制動力の解除状態を示し、一対のブレーキパッド１３、１４はディスクロータ１０に対して離反している。
【００４３】
上記のような制動力の解除状態において、図１に示す電動モータ２４を駆動すると、その電動モータ２４のロータ軸２５の回転が入力ギヤ３１から中間ギヤ３３の大径ギヤ３４に伝達されて、大径ギヤ３４が図５の矢印イで示す方向（制動方向）に回転（正回転）する。
【００４４】
大径ギヤ３４の正回転により凹部３９の回転方向後行側の端面と突出部４０間に組み込まれた弾性部材４１が弾性変形し、さらに回転が進むと、上記後行側の端面が、図７に示すように、ストッパ４２に当接して、大径ギヤ３４の回転が小径ギヤ３５に伝達される。また、小径ギヤ３５の回転は出力ギヤ３２に伝達され、図１に示す回転軸５１が減速回転される。
【００４５】
回転軸５１の外径面には、複数の遊星ローラ５２のそれぞれ外径面が弾性接触しているため、上記回転軸５１の回転により遊星ローラ５２が回転軸５１との接触摩擦により、自転しつつ公転する。
【００４６】
このとき、遊星ローラ５２の外径面に形成された螺旋溝５４は外輪部材２１の内径面に設けられた螺旋突条５３に噛合しているため、その螺旋溝５４と螺旋突条５３の噛合によって、外輪部材２１が軸方向に移動し、その外輪部材２１に当接されたインナ側ブレーキパッド１４がディスクロータ１０に当接して、そのディスクロータ１０を軸方向に押圧し始める。その押圧力の反力により爪部１２に支持されたアウタ側ブレーキパッド１３がディスクロータ１０に接近する方向に向けてキャリパ１１が移動し、アウタ側ブレーキパッド１３がディスクロータ１０に当接して、そのアウタ側ブレーキパッド１３がインナ側ブレーキパッド１４とでディスクロータ１０の外周部を軸方向両側から強く挟持し、ディスクロータ１０に制動力が負荷される。
【００４７】
ディスクロータ１０の制動後、電動モータ２４のロータ軸２５を逆回転させると、中間ギヤ３３の大径ギヤ３４が図５の矢印ロで示す方向（制動解除方向）に回転し、その回転により凹部３９の回転方向の後行側の端面と突出部４０の対向部間に組み込まれた弾性部材４１が弾性変形し、さらに回転が進むと、上記後行側の端面が、図８に示すように、ストッパ４２に当接して、大径ギヤ３４の回転が小径ギヤ３５に伝達される。
【００４８】
小径ギヤ３５の回転は出力ギヤ３２に伝達され、図１に示す回転軸５１が前述と逆方向に減速回転され、回転・直動変換機構５０の作動によって外輪部材２１が図１２に示す位置まで後退動し、アウタ側ブレーキパッド１３およびインナ側ブレーキパッド１４がディスクロータ１０の挟持を解除し、制動力の解除状態とされる。
【００４９】
ここで、電動モータ２４のロータ軸２５の回転を減速して回転軸５１に伝達するギヤ減速機構３０には、一次減速ギヤ列Ｇ１および二次減速ギヤ列Ｇ２におけるギヤの噛み合い部にバックラッシが存在するため、ギヤ減速機構３０の停止時、振動が負荷されると、ギヤの噛合部において、歯面が衝突、離反を繰り返し、歯打ち音が発生する。
【００５０】
このとき、中間ギヤ３３を形成する大径ギヤ３４と小径ギヤ３５の嵌合部におけるトルク伝達部においては、図５および図６に示すように、小径ギヤ３５のボス部３６に設けられた突出部４０の両側のストッパ４２と大径ギヤ３４の内径面に設けられた扇形凹部３９の周方向の両端面間にバックラッシ分に相当する回転方向隙間４３が設けられており、しかも、突出部４０はその周方向の両端側に組み込まれた一対の弾性部材４１によって回転方向隙間４３の中立位置に保持されているため、ギヤ減速機構３０の停止時、振動によりギヤの噛合部でバックラッシ分に相当する相対回転移動が生じると、大径ギヤ３４と小径ギヤ３５が相対回転して弾性部材４１が弾性変形し、ギヤ噛合部での歯面の衝突時の衝撃力が弱められ、歯打ち音が低減される。
【００５１】
また、ギヤ減速機構３０によるトルク伝達時においても、電動モータ２４の回転変動やギヤにおける歯面ピッチの誤差等により、ギヤの噛合部における歯面の相互において、接触、離反を繰り返す。このような場合においても、歯面の接触時に弾性部材４１が弾性変形して衝撃を吸収し、歯打ち音を低減する。
【００５２】
図５および図６に示すように、大径ギヤ３４の扇形凹部３９内において突出部４０の周方向両端側に一対の弾性部材４１を組み込むことにより、ギヤの正転および逆転の両方向の回転に対して歯打ち音の低減効果を発揮する。
【００５３】
図１２に示される電動式ブレーキ装置に採用される直動アクチュエータＡにおいては、ブレーキパッド１３、１４をディスクロータ１０に対して当接、離反させるクリアランスの開閉時、ブレーキパッド１４からの反力トルクはギヤ減速機構３０に作用しないため、ブレーキパッド１４をディスクロータ１０から離反させるクリアランス開放時に逆方向の回転トルクが作用し、突出部４０の周方向両端側に一対の弾性部材４１を設けることによって歯打ち音の低減効果が発揮される。
【００５４】
図５および図６においては、弾性部材４１として圧縮スプリングを用いたが、弾性部材４１は圧縮スプリングに限定されるものではない。例えば、図９（ａ）に示すように、引張りスプリングを弾性部材４１として用いるようにしてもよく、あるいは、（ｂ）に示すように、ゴムを弾性部材４１として用いるようにしてもよい。
【００５５】
また、図５および図６においては、突出部４０の周方向両端側に一対の弾性部材４１を組み込むようにしたが、電動式ブレーキ装置に採用される電動式アクチュエータＡにおいては、制動力負荷時および解除時に一定方向のトルクが作用するのみであるため、図１０に示すように、突出部４０の周方向一端側にのみ弾性部材４１を組み込むようにしてもよい。
【００５６】
電動式ブレーキ装置においては、ディスクロータにインナ側ブレーキパッド１４を押し付けた際の反力が電動式直動アクチュエータＡに作用して、ギヤ減速機構３０は制動解除方向に回されるトルクが作用し、このトルクに打ち勝つように電動モータ２４にトルクを発生させ、必要な制動力が得られるようにしている。
【００５７】
一方、制動力を解除する場合も、解除方向にブレーキパッド１４からの反力によるトルクを受けながらモータトルクを弱めるため、常に制動解除方向のトルクが作用する。
【００５８】
このように、電動式ブレーキ装置に採用される電動式直動アクチュエータＡにおいては、制動力が負荷されている際は常に一定方向のトルクが作用しているため、ギヤの噛合部においては、歯面の片側が接触している状態にある。このような場合において、図１０に示すように、突出部４０の片側に弾性部材４１を介在させた場合は、トルクを伝達する歯面同士の接触状態が、電動モータ２４の回転変動やギヤにおける歯面ピッチ誤差等により僅かに離れたり接触したりを繰り返した場合においても、歯面の接触時に弾性部材４１の弾性変形により衝撃を吸収し、歯打ち音が低減される。
【００５９】
また、ギヤ減速機構３０の停止時においては、中間ギヤ３３の大径ギヤ３４および小径ギヤ３５が弾性部材４１により噛み合う相手方ギヤに向けて付勢されるため、噛合部におけるバックラッシは０になり、振動の付与によって歯打ち音が生じるようなことはない。
【００６０】
ここで、図１１（ａ）乃至（ｃ）は、突出部４０の片側に弾性部材４１を介在したギヤ減速機構３０の作用説明図である。トルク負荷時は、（ａ）の（I）に示すように、電動モータ２４によって回転駆動される入力ギヤ３１の回転は大径ギヤ３４に伝達される。その大径ギヤ３４の回転により、（II）に示すように、凹部３９の回転方向後行側の端面が弾性部材４１を押圧し、その押圧により弾性変形して上記端面がストッパ４２に当接し、大径ギヤ３４の回転が小径ギヤ３５に伝達される。また、小径ギヤ３５の回転は出力ギヤ３２に伝達され、その伝達時、（III）に示すように、小径ギヤ３５の歯面の回転方向後行側にバックラッシが形成される状態となる。
【００６１】
電動モータ２４の回転変動時は、図１１（ｂ）の（I）に示すように、入力ギヤ３１と大径ギヤ３４の歯面間にバックラッシｌが形成され、（II）に示す弾性部材４１の復元弾性により大径ギヤ３４が小径ギヤ３５に対して上記バックラッシを無くす方向に相対回転する。このとき、小径ギヤ３５と出力ギヤ３２は、（III）に示すように、バックラッシのない状態の噛み合い状態であり、歯打ち音が生じるようなことはない。
【００６２】
電動モータ２４のトルク減少時、電動モータ２４の回転速度が速くなり、あるいは、ギヤおける歯面のピッチ誤差があると、図１１（ｃ）の（I）に示すように、入力ギヤ３１と大径ギヤ３４の歯面間にバックラッシｌが形成される。このとき、（II）に示す弾性部材４１の復元弾性により大径ギヤ３４が小径ギヤ３５に対して上記バックラッシを無くす方向に相対回転する。
【００６３】
このように、図１１（ａ）乃至（ｃ）のいずれの状態においてもバックラッシのない状態でトルク伝達されることになる。
【００６４】
なお、図５においては、大径ギヤ３４の内径面に凹部３９を設け、小径ギヤ３５のボス部３６に突出部４０を設けるようにしたが、小径ギヤ３５のボス部３６に凹部を設け、大径ギヤ３４の内径面に突出部を設けるようにしてもよい。さらに、大径ギヤ３４にボス部を設け、そのボス部に小径ギヤ３５を嵌合した場合、小径ギヤ３５の内径面に凹部３９を設け、大径ギヤ３４のボス部に突出部４０を設けてもよいし、大径ギヤ３４のボス部に凹部を設け、小径ギヤ３５の内径面に突出部を設けるようにしてもよい。
【００６５】
図１では、出力ギヤ３２の回転をスライド部材としての外輪部材２１の直線運動に変換する回転・直動変換機構５０として、遊星ローラ５２を自転させつつ公転させ、その遊星ローラ５２の外周に形成された螺旋溝または円周溝と外輪部材２１の内周に設けられた螺旋突条５３の噛み合いによる遊星ローラねじ機構を示したが、回転・直動変換機構５０はこれに限定されず、ボールねじ機構であってもよく、あるいは、ボールランプ機構であってもよい。
【符号の説明】
【００６６】
１０  ディスクロータ
１３  ブレーキパッド
１４  ブレーキパッド
２１  外輪部材（スライド部材）
２４  電動モータ
２５  ロータ軸
３０  ギヤ減速機構
３１  入力ギヤ
３２  出力ギヤ
３３  中間ギヤ
３４  大径ギヤ
３５  小径ギヤ
３６  ボス部
３９  凹部
４０  突出部
４１  弾性部材
４２  ストッパ
４３  回転方向隙間
５０  回転・直動変換機構
【図１】
2016008701.tif 000003
【図２】
2016008701.tif 000004
【図３】
2016008701.tif 000005
【図４】
2016008701.tif 000006
【図５】
2016008701.tif 000007
【図６】
2016008701.tif 000008
【図７】
2016008701.tif 000009
【図８】
2016008701.tif 000010
【図９】
2016008701.tif 000011
【図１０】
2016008701.tif 000012
【図１１】
2016008701.tif 000013
【図１２】
2016008701.tif 000014